(57)【要約】【課題】複数の配線パターンで検出される電圧の検出精度にバラツキが生じることが抑制された監視装置を提供する。【解決手段】所定方向に隣接して並ぶ２つの電池セル２２０の正極端子２２１と負極端子２２２を接続する複数の直列端子２２３と、直列端子に接続される配線パターン３４と、配線パターンを介して入力される電池セルの電圧を監視する監視部１０と、を有する。複数の直列端子それぞれは、所定方向に延びて正極端子と負極端子とに接続される連結部２２５と、連結部における正極端子との第１接続部位と負極端子との第２接続部位との間の中点から延びた接続部２２６と、を有する。配線部の配線パターンは接続部に接続されている。【選択図】図４
2020013652.tif 000002
【特許請求の範囲】
【請求項１】
所定方向に並ぶ少なくとも３つの電池セル（２２０）における、前記所定方向に隣接して並ぶ２つの前記電池セルのうちの一方の正極端子（２２１）と他方の負極端子（２２２）とを接続する複数の直列端子（２２３）と、
複数の前記直列端子に接続される配線パターン（３４）を備える配線部（３０）と、
前記配線パターンを介して入力される前記電池セルの電圧を監視する監視部（１０）と、を有し、
複数の前記直列端子それぞれは、前記所定方向に延びて前記正極端子と前記負極端子とに接続される連結部（２２５）と、前記連結部における前記正極端子との第１接続部位（ＣＰ１）と前記負極端子との第２接続部位（ＣＰ２）との間の中点（ＭＰ）から延びた接続部（２２６）と、を有し、
前記配線部の前記配線パターンは前記接続部に接続されている監視装置。
【請求項２】
前記接続部は、前記電池セルの前記正極端子と前記負極端子の形成面（２２０ａ）において前記所定方向に交差する横方向に、前記連結部の前記中点から延びた基準部（２２７）と、前記基準部の先端から前記所定方向に延びた補償部（２２８）と、を有し、
前記配線パターンは前記補償部に接続されている請求項１に記載の監視装置。
【請求項３】
前記監視部は，前記直列端子の電圧を検出する電圧検出回路（２０）を有し、
前記電圧検出回路の入力端子に前記配線パターンが接続されており、
前記電圧検出回路の入力インピーダンスは出力インピーダンスよりもハイインピーダンスとなっている請求項２に記載の監視装置。
【請求項４】
１つの前記電池セルの前記形成面に形成された前記正極端子（２２１）と前記負極端子（２２２）は前記横方向に並び、
複数の前記電池セルそれぞれの前記正極端子と前記負極端子とが前記所定方向に交互に並ぶことで、前記正極端子と前記負極端子とが交互に並ぶ第１電極端子群（２１１）、および、前記第１電極端子群とは前記正極端子と前記負極端子の並びが逆の第２電極端子群（２１２）が構成されており、
前記配線部は、前記配線パターンの形成された可撓基板（３３）を有し、
前記配線部は複数の前記電池セルの前記形成面に対向する態様で、前記第１電極端子群と前記第２電極端子群との間に設けられている請求項２または請求項３に記載の監視装置。
【請求項５】
前記配線部は、前記第１電極端子群側に位置する第１配線部（３１）と、前記第２電極端子群側に位置する第２配線部（３２）と、を有し、
前記第１配線部と前記第２配線部それぞれは、同一形状の前記可撓基板と同一形状の前記配線パターンを有する請求項４に記載の監視装置。
【請求項６】
前記第１配線部の前記可撓基板の表面（３３ａ）の裏側の裏面（３３ｂ）が複数の前記電池セルの前記形成面に対向する態様で、前記第１配線部は前記第１電極端子群と前記第２電極端子群との間に設けられ、
前記第２配線部の前記可撓基板の前記表面が複数の前記電池セルの前記形成面に対向する態様で、前記第２配線部は前記第１電極端子群と前記第２電極端子群との間に設けられている請求項５に記載の監視装置。
【請求項７】
前記配線パターンは、前記所定方向に並ぶ複数の前記電池セルのうちの両端に位置する２つの前記電池セルの前記正極端子と前記負極端子のうちの少なくとも一方と電気的に接続される両端配線パターン（３６）と、複数の前記直列端子と接続される直列配線パターン（３５）と、を有する請求項５または請求項６に記載の監視装置。
【発明の詳細な説明】
【技術分野】
【０００１】
本明細書の開示は、電池セルの監視装置に関するものである。
【背景技術】
【０００２】
特許文献１に示されるように、複数の単電池の電圧を検出する電池配線モジュールが知られている。この電池配線モジュールは、異なる単電池間の電極端子同士を接続するバスバーと、バスバーに接続される電圧検出線を含むフレキシブル基板と、を有する。
【先行技術文献】
【特許文献】
【０００３】
【特許文献１】特開２０１７−２７８３１号公報
【発明の概要】
【発明が解決しようとする課題】
【０００４】
バスバーに電流が流れると、バスバー自身の抵抗とその流れる電流に起因する電圧降下が生じる。上記したようにこのバスバーに電圧検出線が接続される。したがって電圧検出線で検出される電圧には、このバスバーの抵抗と電流とに起因する電圧降下が含まれる。
【０００５】
複数のバスバーにおける電圧検出線との接続位置が、複数のバスバーそれぞれで同一の場合、複数の電圧検出線それぞれで検出される電圧に含まれる電圧降下は同等になることが期待される。しかしながら、複数のバスバーにおける電圧検出線との接続位置が複数のバスバーで異なる場合、複数の電圧検出線で検出される電圧に含まれる電圧降下にバラツキが生じる。この電圧降下のバラツキによって、複数の電圧検出線（配線パターン）で検出される電圧の検出精度にバラツキが生じる虞がある。
【０００６】
そこで本明細書の開示物は、複数の配線パターンで検出される電圧の検出精度にバラツキが生じることが抑制された監視装置を提供することを目的とする。
【課題を解決するための手段】
【０００７】
開示の１つは、所定方向に並ぶ少なくとも３つの電池セル（２２０）における、所定方向に隣接して並ぶ２つの電池セルのうちの一方の正極端子（２２１）と他方の負極端子（２２２）とを接続する複数の直列端子（２２３）と、
複数の直列端子に接続される配線パターン（３４）を備える配線部（３０）と、
配線パターンを介して入力される電池セルの電圧を監視する監視部（１０）と、を有し、
複数の直列端子それぞれは、所定方向に延びて正極端子と負極端子とに接続される連結部（２２５）と、連結部における正極端子との第１接続部位（ＣＰ１）と負極端子との第２接続部位（ＣＰ２）との間の中点（ＭＰ）から延びた接続部（２２６）と、を有し、
配線部の配線パターンは接続部に接続されている。
【０００８】
このように、連結部（２２５）の中点（ＭＰ）から延びた接続部（２２６）に配線パターン（３４）が接続される。そのために複数の配線パターン（３４）それぞれで検出される電圧に含まれる、直列端子（２２３）の抵抗と電流に起因して生じる電圧降下が等しくなることが期待される。この結果、複数の配線パターン（３４）で検出される電圧の検出精度にバラツキが生じることが抑制される。
【０００９】
なお、上記の括弧内の参照番号は、後述の実施形態に記載の構成との対応関係を示すものに過ぎず、技術的範囲を何ら制限するものではない。
【図面の簡単な説明】
【００１０】
【図１】電池パックの回路図である。
【図２】電池スタックを示す上面図である。
【図３】監視装置を示す上面図である。
【図４】監視装置が電池スタックに設けられた状態を示す上面図である。
【図５】不要な第２突起部を除去した状態の監視装置を示す上面図である。
【図６】直列端子を説明するための上面図である。
【図７】１つの電池セルの電圧検出を説明するための模式図である。
【図８】接続点が異なった場合の電池セルの電圧検出を説明するための模式図である。
【図９】比較構成において接続点が異なった場合の電池セルの電圧検出を説明するための模式図である。
【図１０】直列端子の変形例を示す図表である。
【図１１】監視装置の変形例を説明するための上面図である。
【発明を実施するための形態】
【００１１】
以下、実施形態を図に基づいて説明する。
【００１２】
（第１実施形態）
図１〜図１０に基づいて本実施形態に係る電池パックの監視装置を説明する。本実施形態では、電池パックがハイブリッド自動車に適用された例を説明する。
【００１３】
＜電池パックの概要＞
電池パック４００はハイブリッド自動車の電気負荷に電力供給する機能を果たす。この電気負荷には、動力供給源および発電源としての機能を果たすモータジェネレータが含まれている。例えばこのモータジェネレータが力行する場合、電池パック４００は放電してモータジェネレータに電力供給する。モータジェネレータが発電する場合、電池パック４００は発電によって生じた発電電力を充電する。
【００１４】
電池パック４００は電池ＥＣＵ３００を有する。この電池ＥＣＵ３００はハイブリッド自動車に搭載された各種ＥＣＵ（車載ＥＣＵ）と電気的に接続される。電池ＥＣＵ３００と車載ＥＣＵは相互に信号を送受信し、ハイブリッド自動車を協調制御する。この協調制御により、電池パック４００の充電量に応じたモータジェネレータの発電と力行、および、内燃機関の出力などが制御される。
【００１５】
なお、ＥＣＵはelectronic control unitの略である。ＥＣＵは、少なくとも１つの演算処理装置（ＣＰＵ）と、プログラムおよびデータを記憶する記憶媒体としての少なくとも１つのメモリ装置（ＭＭＲ）と、を有する。ＥＣＵはコンピュータによって読み取り可能な記憶媒体を備えるマイクロコンピュータによって提供される。記憶媒体はコンピュータによって読み取り可能なプログラムを非一時的に格納する非遷移的実体的記憶媒体である。記憶媒体は半導体メモリまたは磁気ディスクなどによって提供され得る。
【００１６】
電池パック４００は電池モジュール２００を有する。図２に示すように電池モジュール２００は複数の電池セル２２０が電気的および機械的に直列接続された電池スタック２１０を有する。
【００１７】
電池パック４００は監視装置１００を有する。監視装置１００は電池スタック２１０を構成する各電池セル２２０の電圧を検出する。監視装置１００はその監視結果を電池ＥＣＵ３００に出力する。電池ＥＣＵ３００は監視装置１００の監視結果に基づいて複数の電池セル２２０それぞれのＳＯＣの均等化を判断する。そして電池ＥＣＵ３００はその判断に基づく均等化処理の指示を監視装置１００に出力する。監視装置１００は電池ＥＣＵ３００から入力された指示にしたがって、複数の電池セル２２０のＳＯＣを等しくする均等化処理を行う。ＳＯＣはstate of chargeの略である。
【００１８】
以上に示すように電池パック４００は、監視装置１００、電池モジュール２００、および、電池ＥＣＵ３００を有する。図示しないが、電池パック４００はこれらの他に電池モジュール２００を冷却する送風ファンを有する。この送風ファンの駆動は電池ＥＣＵ３００によって制御される。
【００１９】
電池パック４００はハイブリッド自動車の例えば座席下の配置空間に設けられる。概して後部座席下のほうが前部座席下よりも広い。そのために本実施形態の電池パック４００は後部座席下の配置空間に設けられる。ただし電池パック４００の設置場所としてはこれに限定されない。例えば後部座席とトランクルームの間、運転席と助手席の間などに電池パック４００を設置することができる。
【００２０】
次に、電池モジュール２００と監視装置１００を説明する。それにあたって、以下においては互いに直交の関係にある３方向を、横方向、縦方向、および、高さ方向と示す。本実施形態では横方向はハイブリッド自動車の進退方向に沿っている。縦方向はハイブリッド自動車の左右方向に沿っている。高さ方向はハイブリッド自動車の天地方向に沿っている。
【００２１】
＜電池モジュールの概要＞
上記したように電池モジュール２００は電池スタック２１０を有する。また電池モジュール２００は電池スタック２１０を収容する電池ケース（図示略）を有する。この電池ケースは筐体と蓋部を有する。筐体はアルミダイカストで製造される。また筐体は鉄やステンレスをプレス加工することで製造することもできる。蓋部は樹脂材料、若しくは、金属材料で形成される。
【００２２】
筐体は高さ方向に開口するとともに底を有する箱形状を成している。筐体の開口は蓋部によって覆われている。筐体と蓋部とによって電池スタック２１０と監視装置１００を収納する収納空間が構成されている。収納空間には風の流通する流通経路が構成されている。筐体と蓋部の少なくとも一方に、外部雰囲気と流通経路とを連通するための連通孔が構成されている。
【００２３】
電池スタック２１０は複数の電池セル２２０を有する。これら複数の電池セル２２０は縦方向に並んでいる。複数の電池セル２２０は電気的および機械的に直列接続されている。そのために電池モジュール２００の出力電圧は複数の電池セル２２０の出力電圧を総和した電圧になっている。なお、電池スタック２１０の保有する電池セル２２０の数は３つ以上である。縦方向が所定方向に相当する。
【００２４】
＜監視装置の概要＞
図１に示すように監視装置１００は、複数の電池セル２２０それぞれの電圧を監視する監視部１０、および、監視部１０と複数の電池セル２２０それぞれとを電気的に接続する配線部３０を有する。
【００２５】
監視部１０は縦方向若しくは高さ方向で電池スタック２１０と並ぶ態様で電池モジュール２００に設けられる。配線部３０は高さ方向で電池スタック２１０と並ぶ態様で電池モジュール２００に設けられる。
【００２６】
＜電池スタックの構成＞
上記したように電池スタック２１０は複数の電池セル２２０を有する。図２に示すように電池セル２２０は四角柱形状を成す。電池セル２２０は６面を有する。
【００２７】
電池セル２２０は高さ方向に面する上端面２２０ａを有する。また図示しないが、電池セル２２０は高さ方向に面して上端面２２０ａと高さ方向で離間して並ぶ下端面を有する。電池セル２２０は横方向に面する第１側面２２０ｃと第２側面２２０ｄを有する。電池セル２２０は縦方向に面する第１主面２２０ｅと第２主面２２０ｆを有する。これら６面のうち第１主面２２０ｅと第２主面２２０ｆは他の４面よりも面積が大きくなっている。
【００２８】
電池セル２２０は縦方向の長さが高さ方向および横方向の長さよりも短くなっている。そのために電池セル２２０は縦方向の長さの短い平板形状を成している。複数の電池セル２２０はこの縦方向に並んでいる。
【００２９】
電池セル２２０は二次電池である。具体的には電池セル２２０はリチウムイオン二次電池である。リチウムイオン二次電池は化学反応によって起電圧を生成する。起電圧の生成により電池セル２２０に電流が流れる。これにより電池セル２２０はガスを発生する。電池セル２２０は膨張する。なお電池セル２２０としてはリチウムイオン二次電池に限定されない。例えば電池セル２２０としては、ニッケル水素二次電池、有機ラジカル電池などを採用することができる。
【００３０】
上記したように電池セル２２０の第１主面２２０ｅと第２主面２２０ｆは他の４面よりも面積が大きくなっている。そのために電池セル２２０では第１主面２２０ｅと第２主面２２０ｆが膨張しやすくなっている。これにより電池セル２２０は縦方向に膨張する。すなわち電池セル２２０は複数の電池セル２２０の並ぶ方向に膨張する。
【００３１】
電池スタック２１０は図示しない拘束具を有する。この拘束具により、複数の電池セル２２０は機械的に縦方向に直列接続されている。またこの拘束具により複数の電池セル２２０それぞれの膨張による電池スタック２１０の体格の増大が抑制されている。
【００３２】
隣接する電池セル２２０の間には絶縁性のセパレータが設けられる。これにより隣接する電池セル２２０の間に空隙が構成されている。この空隙を空気が通ることで各電池セル２２０の放熱が促される。
【００３３】
電池セル２２０の上端面２２０ａに正極端子２２１と負極端子２２２が形成されている。正極端子２２１と負極端子２２２は横方向に離間して並んでいる。正極端子２２１は第１側面２２０ｃ側に位置する。負極端子２２２は第２側面２２０ｄ側に位置する。
【００３４】
図２に示すように隣接して並ぶ２つの電池セル２２０は互いに第１主面２２０ｅ同士、第２主面２２０ｆ同士で対向している。隣接して並ぶ２つの電池セル２２０の上端面２２０ａが縦方向に並んでいる。これにより隣接して並ぶ２つの電池セル２２０のうちの一方の正極端子２２１と他方の負極端子２２２とが縦方向に並んでいる。この結果、電池スタック２１０では、正極端子２２１と負極端子２２２とが縦方向で交互に並んでいる。
【００３５】
電池スタック２１０では、縦方向に負極端子２２２と正極端子２２１とが交互に並ぶ第１電極端子群２１１と、縦方向に正極端子２２１と負極端子２２２とが交互に並ぶ第２電極端子群２１２と、が構成されている。第１電極端子群２１１と第２電極端子群２１２とでは正極端子２２１と負極端子２２２の並びが反対である。この第１電極端子群２１１と第２電極端子群２１２とが横方向に離間して並んでいる。
【００３６】
上記した第１電極端子群２１１と第２電極端子群２１２を構成する電極端子のうち、縦方向に並んで隣り合う１つの正極端子２２１と１つの負極端子２２２とが直列端子２２３を介して機械的および電気的に接続されている。これにより電池スタック２１０を構成する複数の電池セル２２０が電気的に直列接続されている。直列端子２２３に関しては、後で詳説する。
【００３７】
本実施形態の電池スタック２１０は９個の電池セル２２０を有する。これら９個の電池セル２２０が直列接続されている。そのために正極端子２２１と負極端子２２２の総数は１８個になっている。図１および図２に示すように、これら１８個の電極端子に、最低電位から最高電位に向かうにしたがって数の大きくなる番数（Ｎｏ）を付与している。
【００３８】
図２に示すようにＮｏ．１の正極端子２２１とＮｏ．２の負極端子２２２は縦方向で隣接して並んでいる。これら横方向で隣接して並ぶ正極端子２２１と負極端子２２２が直列端子２２３を介して接続される。
【００３９】
これと同様にして、第１電極端子群２１１では、Ｎｏ．１とＮｏ．２の電極端子、Ｎｏ．５とＮｏ．６の電極端子、Ｎｏ．９とＮｏ．１０の電極端子、Ｎｏ．１３とＮｏ．１４の電極端子が直列端子２２３を介して接続される。第２電極端子群２１２では、Ｎｏ．３とＮｏ．４の電極端子、Ｎｏ．７とＮｏ．８の電極端子、Ｎｏ．１１とＮｏ．１２の電極端子、Ｎｏ．１５とＮｏ．１６の電極端子が直列端子２２３を介して接続される。このように９個の電池セル２２０は計８個の直列端子２２３を介して直列接続されている。
【００４０】
以上に示した接続構成により、Ｎｏ．０の負極端子２２２は最低電位になる。Ｎｏ．０の負極端子２２２はグランド電位になる。Ｎｏ．１７の正極端子２２１は最高電位になる。Ｎｏ．１７の正極端子２２１は各電池セル２２０の出力を総和した電位になる。
【００４１】
この最低電位の負極端子２２２と最高電位の正極端子２２１に出力端子２２４が接続されている。この２つの出力端子２２４が電気負荷と電気的に接続される。この結果、最低電位と最高電位との電位差が、電池モジュール２００の出力電圧として電気負荷に出力される。
【００４２】
＜監視装置の回路構成＞
次に、図１および図４に基づいて監視装置１００の回路構成を説明する。
【００４３】
図１に示すように監視部１０は配線基板１１、第１電子素子１２、および、監視ＩＣチップ１３を有する。配線基板１１に第１電子素子１２と監視ＩＣチップ１３が搭載されている。第１電子素子１２と監視ＩＣチップ１３は配線基板１１の基板配線１４を介して電気的に接続されている。
【００４４】
配線基板１１に配線部３０が接続される。配線部３０は電池スタック２１０に接続される。これにより監視部１０は配線部３０を介して電池スタック２１０と電気的に接続されている。
【００４５】
配線基板１１には図示しないコネクタが設けられている。このコネクタに図１に示すワイヤ３０１が接続される。このワイヤ３０１を介して監視部１０と電池ＥＣＵ３００とが電気的に接続されている。
【００４６】
配線部３０は表配線部３１と裏配線部３２を有する。表配線部３１と裏配線部３２それぞれは可撓性を有するフレキシブル基板３３と、フレキシブル基板３３に形成された複数の配線パターン３４と、を有する。
【００４７】
複数の配線パターン３４は直列端子２２３と出力端子２２４に接続される。これら複数の配線パターン３４それぞれに対応する複数の基板配線１４が配線基板１１に形成されている。これら複数の配線パターン３４と複数の基板配線１４とが電気的に接続されている。
【００４８】
以下においては、説明を簡便とするため、互いに電気的に接続された配線パターン３４と基板配線１４をまとめて電圧検出配線と示す。
【００４９】
図１に示すようにフレキシブル基板３３には第２電子素子６０が搭載されている。第２電子素子６０はヒューズ６１とインダクタ６２を有する。また監視部１０は第１電子素子１２としてツェナーダイオード１５、並列コンデンサ１６、および、抵抗１７を有する。これらツェナーダイオード１５、並列コンデンサ１６、および、抵抗１７それぞれは配線基板１１に搭載されている。
【００５０】
図１に示すように複数の電圧検出線それぞれにヒューズ６１、インダクタ６２、および、抵抗１７が設けられている。電池セル２２０から監視ＩＣチップ１３へと向かって、ヒューズ６１、インダクタ６２、および、抵抗１７が順に直列接続されている。
【００５１】
ツェナーダイオード１５と並列コンデンサ１６それぞれは、電位順に並ぶ２つの電圧検出線の間で並列接続されている。詳しく言えば電圧検出線におけるインダクタ６２と抵抗１７との間に、ツェナーダイオード１５と並列コンデンサ１６が接続されている。ツェナーダイオード１５のアノード電極は隣り合う２つの電圧検出線のうちの低電位側に接続されている。ツェナーダイオード１５のカソード電極は隣り合う２つの電圧検出線のうちの高電位側に接続されている。
【００５２】
以上に示した接続構成により、抵抗１７と並列コンデンサ１６とによってＲＣ回路が構成されている。このＲＣ回路とインダクタ６２は、電圧検出の際にノイズを除去するフィルタとしての機能を果たしている。
【００５３】
なおツェナーダイオード１５は、電池モジュール２００から過電圧が印加された際に短絡故障（ショート故障）する構造となっている。具体的に言えば、ツェナーダイオード１５は一対のリードにてＰＮ接合型のＩＣチップが直接狭持された構造となっている。これにより、例えばＩＣチップとリードとがワイヤを介して間接的に接続された構成とは異なり、過電圧の印加によるワイヤの破断によってツェナーダイオード１５がオープン故障することが避けられている。
【００５４】
ヒューズ６１は、過電圧にてツェナーダイオード１５が短絡故障した際に、電圧検出配線に流れる大電流によって破断するように構成されている。ヒューズ６１の定格電流は、過電圧にてツェナーダイオード１５が短絡故障した際の電圧検出配線に流れる大電流を基準に設定されている。ヒューズ６１の破断により監視ＩＣチップ１３に大電流が流れることが抑制される。
【００５５】
図１に示すように監視ＩＣチップ１３は、増幅などの信号処理を行うドライバ１８と、複数の電池セル２２０それぞれに対応するスイッチ１９と、を有する。このスイッチ１９は電位順に並ぶ２つの電圧検出線間の電気的な接続を制御する。スイッチ１９の一端は電位順に並ぶ２つの電圧検出線の一方に接続された監視ＩＣチップ１３の配線に接続される。スイッチ１９の他端は電位順に並ぶ２つの電圧検出線の他方に接続された監視ＩＣチップ１３の配線に接続される。スイッチ１９の開閉制御により、このスイッチ１９の接続された２つの電圧検出線に電気的に接続された電池セル２２０の充放電が制御される。
【００５６】
また監視ＩＣチップ１３は、複数の電池セル２２０それぞれの電圧を検出するためのコンパレータ２０を有する。コンパレータ２０の反転入力端子と非反転入力端子とに、電位順に並ぶ２つの電圧検出線が接続される。これによりコンパレータ２０の反転入力端子と非反転入力端子とに、１つの電池セル２２０の正極端子２２１と負極端子２２２が接続される。コンパレータ２０の出力端子は監視ＩＣチップ１３の配線に接続される。コンパレータ２０の出力が、１つの電池セル２２０の出力電圧（起電圧）を差動増幅したものとして電池ＥＣＵ３００に出力される。
【００５７】
なお、コンパレータ２０の入力インピーダンスは出力インピーダンスよりもハイインピーダンスになっている。そのために電池セル２２０からコンパレータ２０に流れる電流は微量になっている。電池セル２２０からコンパレータ２０に流れる電流は、複数の電池セル２２０の直列接続された電池スタック２１０に流れる電流に比べて微量になっている。コンパレータ２０が電圧検出回路に相当する。
【００５８】
電池セル２２０の充電状態（ＳＯＣ）と起電圧には相関関係がある。電池ＥＣＵ３００はこの相関関係を記憶している。電池ＥＣＵ３００は監視ＩＣチップ１３から入力された出力電圧（起電圧）と記憶している相関関係に基づいて、複数の電池セル２２０それぞれのＳＯＣを検出する。
【００５９】
電池ＥＣＵ３００はこの検出したＳＯＣに基づいて、複数の電池セル２２０のＳＯＣの均等化処理を判断する。そして電池ＥＣＵ３００はその判断に基づく均等化処理の指示を監視ＩＣチップ１３のドライバ１８に出力する。ドライバ１８は均等化処理の指示にしたがって複数の電池セル２２０それぞれに対応するスイッチ１９を開閉制御する。これにより複数の電池セル２２０が充放電される。複数の電池セル２２０のＳＯＣが均等化される。
【００６０】
なお、電池ＥＣＵ３００は入力された電圧などに基づいて電池スタック２１０の充電状態も検出する。電池ＥＣＵ３００は検出した電池スタック２１０の充電状態を車載ＥＣＵに出力する。車載ＥＣＵはこの充電状態、車両に搭載された各種センサから入力されるアクセルペダルの踏み込み量やスロットルバルブ開度などの車両情報、そしてイグニッションスイッチなどに基づいて、電池ＥＣＵ３００に指令信号を出力する。電池ＥＣＵ３００はこの指令信号に基づいて電池スタック２１０と電気負荷との接続を制御する。
【００６１】
図示しないが、電池スタック２１０と電気負荷との間にはシステムメインリレーが設けられている。このシステムメインリレーは磁界の発生によって電池スタック２１０と電気負荷との電気的な接続を制御する。電池ＥＣＵ３００はこのシステムメインリレーの磁界の発生を制御することで、電池スタック２１０と電気負荷との接続を制御する。
【００６２】
＜配線部の構成＞
次に、図３〜図５に基づいて配線部３０の構成を説明する。上記したように配線部３０は表配線部３１と裏配線部３２を有する。表配線部３１と裏配線部３２はそれぞれフレキシブル基板３３と複数の配線パターン３４を有する。
【００６３】
図３に示すようにフレキシブル基板３３は縦方向に延びた矩形を成している。フレキシブル基板３３の縦方向の長さは電池スタック２１０の縦方向の長さに応じて決定される。
【００６４】
フレキシブル基板３３は配線基板１１よりも厚みが薄く、撓みやすい樹脂材料から成る。そのためにフレキシブル基板３３は湾曲可能になっている。すなわちフレキシブル基板３３は弾性変形可能になっている。フレキシブル基板３３が可撓基板に相当する。
【００６５】
図示しないが、縦方向および横方向への大きな変形が可能なように、フレキシブル基板３３の一部に切欠きが形成されていたり、その一部が蛇腹構造になっていたりしてもよい。また、電池ケースによって構成される収容空間内の風の流動が妨げられるのを避けるために、高さ方向に貫通する切欠きや孔がフレキシブル基板３３に形成されていてもよい。
【００６６】
配線パターン３４はフレキシブル基板３３の表面３３ａに形成されている。そして配線パターン３４は被覆樹脂で覆われている。ただし、配線パターン３４の端側の先端はフレキシブル基板３３および被覆樹脂それぞれの外に突出して露出している。この配線パターン３４の一端側の先端が直列端子２２３や出力端子２２４に溶接などによって機械的および電気的に接続される。配線パターン３４の他端側の先端が配線基板１１の基板配線１４にはんだなどによって機械的および電気的に接続される。なお、図面においては、表記を簡明とするために、配線パターン３４の端側の先端がフレキシブル基板３３上にあるように図示している。
【００６７】
表配線部３１と裏配線部３２は同一構成である。したがって表配線部３１の有するフレキシブル基板３３および配線パターン３４と、裏配線部３２の有するフレキシブル基板３３および配線パターン３４は同一形状である。表配線部３１が第１配線部に相当する。裏配線部３２が第２配線部に相当する。
【００６８】
＜表配線部と裏配線部の搭載形態＞
上記にしたように表配線部３１と裏配線部３２は同一構成である。しかしながら表配線部３１と裏配線部３２は電池スタック２１０への搭載態様が異なる。図４に示すように表配線部３１は、フレキシブル基板３３の裏面３３ｂが電池セル２２０の上端面２２０ａに対向する態様で電池スタック２１０に搭載される。裏配線部３２は、フレキシブル基板３３の表面３３ａが上端面２２０ａに対向する態様で電池スタック２１０に搭載される。このように表配線部３１と裏配線部３２は互いに表裏が反転して電池スタック２１０に搭載される。そのために表配線部３１と裏配線部３２では、それぞれの配線パターン３４の配置が表裏反転している。
【００６９】
上記したように配線パターン３４の端側の先端はフレキシブル基板３３および被覆樹脂それぞれから露出している。したがってフレキシブル基板３３の表裏を反転させたとしても、配線パターン３４の一端側の先端と直列端子２２３や出力端子２２４との間にはフレキシブル基板３３や被覆樹脂が位置しなくなっている。配線パターン３４の他端側の先端と配線基板１１との間にはフレキシブル基板３３や被覆樹脂が位置しなくなっている。
【００７０】
表配線部３１と裏配線部３２は、複数の電池セル２２０の上端面２２０ａにおける第１電極端子群２１１と第２電極端子群２１２の間に設けられている。表配線部３１と裏配線部３２は横方向で離間している。表配線部３１は第１電極端子群２１１側に位置する。裏配線部３２は第２電極端子群２１２側に位置する。
【００７１】
表配線部３１の配線パターン３４は、第１電極端子群２１１を構成する電極端子に機械的および電気的に接続された直列端子２２３と出力端子２２４に接続される。裏配線部３２の配線パターン３４は、第２電極端子群２１２を構成する電極端子に機械的および電気的に接続された直列端子２２３と出力端子２２４に接続される。
【００７２】
以上により、配線部３０と電池スタック２１０とは図１に示す電気的な接続構成となっている。電池スタック２１０を構成する全ての電池セル２２０の電圧が配線部３０によって検出可能となっている。
【００７３】
＜接続構成＞
次に、図３および図４に基づいて、直列端子２２３および出力端子２２４と配線基板１１とを接続する配線パターン３４の接続構成を詳説する。
【００７４】
配線パターン３４は、直列端子２２３に接続される複数の第１配線３５と、縦方向に並ぶ複数の電池セル２２０のうちの両端に位置する２つの電池セル２２０の正極端子２２１と負極端子２２２に接続される第２配線３６と、を有する。本実施形態において、第２配線３６は具体的には出力端子２２４に接続される。第１配線３５が直列配線パターンに相当する。第２配線３６が両端配線パターンに相当する。
【００７５】
図４に示すように複数の第１配線３５は２つの第２配線３６の間に位置している。複数の第１配線３５と２つの第２配線３６それぞれの一端は電極端子群に向かって延びている。複数の第１配線３５と２つの第２配線３６それぞれの他端は配線基板１１に向かって延びている。第１配線３５の一端が直列端子２２３に接続される。第２配線３６の一端が出力端子２２４に接続される。そして第１配線３５と第２配線３６それぞれの他端が配線基板１１に接続される。
【００７６】
フレキシブル基板３３には電極端子群に向かって延びる複数の第１突起部３７と、２つの第２突起部３８が形成されている。第１突起部３７に第１配線３５の一端が設けられる。第２突起部３８に第２配線３６の一端が設けられる。第１突起部３７からは第１配線３５の一端側の先端が露出している。第２突起部３８からは第２配線３６の一端側の先端が露出している。
【００７７】
２つの第２突起部３８は縦方向に離間して並んでいる。複数の第１突起部３７は２つの第２突起部３８の間に位置している。そして複数の第１突起部３７も縦方向に離間して並んでいる。
【００７８】
以上に示した突起部の縦方向の並びのため、縦方向に並ぶ複数の第１突起部３７のうちの端に位置する第１突起部３７と１つの第２突起部３８とが縦方向で隣接する態様で並んでいる。これら第１突起部３７と第２突起部３８との間の縦方向の離間距離は、縦方向に隣接して並ぶ２つの電池セル２２０の有する異極の電極端子の離間距離と等しくなるように設計されている。すなわち第１突起部３７と第２突起部３８との間の縦方向の離間距離は、縦方向に隣接して並ぶ２つの電池セル２２０のうちの一方の有する正極端子２２１と他方の有する負極端子２２２との離間距離と等しくなるように設計されている。
【００７９】
また、縦方向に隣接して並ぶ２つの第１突起部３７の離間距離は、縦方向に１つの電池セル２２０を挟んで並ぶ２つの電池セル２２０の有する同極の電極端子の離間距離と等しくなるように設計されている。すなわち、縦方向に隣接して並ぶ２つの第１突起部３７の離間距離は、縦方向に１つの電池セル２２０を挟んで並ぶ２つの電池セル２２０のうちの一方の有する正極端子２２１と他方の有する正極端子２２１との離間距離と等しくなるように設計されている。換言すれば、縦方向に隣接して並ぶ２つの第１突起部３７の離間距離は、縦方向に１つの電池セル２２０を挟んで並ぶ２つの電池セル２２０のうちの一方の有する負極端子２２２と他方の有する負極端子２２２との離間距離と等しくなるように設計されている。
【００８０】
以下においては表記が煩雑となることを避けるために、縦方向で隣り合って並ぶ第１突起部３７と第２突起部３８との間の縦方向の離間距離を、出力離間距離と示す。縦方向で隣り合って並ぶ２つの第１突起部３７の間の縦方向の離間距離を、直列離間距離と示す。概して、出力離間距離は直列離間距離の半分程度となっている。出力離間距離は１つの電池セル２２０の縦方向の長さ程度である。直列離間距離は縦方向に隣接して並ぶ２つの電池セル２２０の縦方向の長さ程度である。
【００８１】
図４に示すように、表配線部３１の有する２つの第２突起部３８のうちの１つが、第１電極端子群２１１に含まれるＮｏ．１７の正極端子２２１に接続された出力端子２２４と接続されている。しかしながら表配線部３１の有する２つの第２突起部３８のうちの残りの１つは、何にも接続されていない。このような接続に寄与しない第２突起部３８は、例えば図５に示すように除去することができる。
【００８２】
同様にして、裏配線部３２の有する２つの第２突起部３８のうちの１つが、第２電極端子群２１２に含まれるＮｏ．０の負極端子２２２に接続された出力端子２２４と接続されている。しかしながら裏配線部３２の有する２つの第２突起部３８のうちの残りの１つは、何にも接続されていない。このような接続に寄与しない第２突起部３８は、同様にして除去することができる。
【００８３】
以上に示したように、表配線部３１と裏配線部３２は接続に寄与しない第２突起部３８を１つ余分に持っている。このような１つの余分な第２突起部３８を表配線部３１と裏配線部３２それぞれが保有するのは、表配線部３１と裏配線部３２のうちの一方が、縦方向で離れて位置する２つの出力端子２２４のうちの一方と接続されるためである。表配線部３１と裏配線部３２のうちの他方が、縦方向で離れて位置する２つの出力端子のうちの他方と接続されるためである。
【００８４】
ただし、上記したように表配線部３１と裏配線部３２が接続に寄与しない第２突起部３８を１つ余分に持っているのは、電池スタック２１０の有する３つ以上の電池セル２２０の数が奇数だからである。電池スタック２１０の有する３つ以上の電池セル２２０の数が偶数の場合、表配線部３１が有する２つの第２突起部３８は接続に寄与しない。裏配線部３２が保有する２つの第２突起部３８が接続に寄与する。このように表配線部３１と裏配線部３２は電池スタック２１０の有する３つ以上の電池セル２２０の数が奇数であろうと偶数であろうとも、２つの出力端子２２４と接続可能になっている。
【００８５】
フレキシブル基板３３には監視部１０に向かって延びる出っ張り部３９が形成されている。この出っ張り部３９に配線パターン３４の他端が設けられている。配線パターン３４の他端側の先端が出っ張り部３９の外に露出されている。この配線パターン３４の他端側の先端が配線基板１１の表面１１ａに形成された基板配線１４と接続される。それとともに出っ張り部３９が配線基板１１の表面１１ａに連結される。
【００８６】
なおもちろんではあるが、配線パターン３４の他端側の先端と出っ張り部３９は配線基板１１の表面１１ａの裏側の裏面に連結されてもよい。さらに言えば、表配線部３１の配線パターン３４の他端側の先端と出っ張り部３９が配線基板１１の表面１１ａと裏面の一方に接続されてもよい。裏配線部３２の配線パターン３４の他端側の先端と出っ張り部３９が配線基板１１の表面１１ａと裏面の他方に接続されてもよい。
【００８７】
また、配線パターン３４の他端側の先端が出っ張り部３９の外に露出されていない構成を採用することもできる。この場合、出っ張り部３９には、配線パターン３４の他端と基板配線１４とを電気的に接続するためのビアが形成される。このビアは出っ張り部３９を構成するフレキシブル基板３３の表面３３ａと裏面３３ｂとを電気的に接続する機能を果たす。ビアが基板配線１４と電気的に接続される。これにより配線パターン３４と基板配線１４とがビアを介して電気的に接続される。
【００８８】
＜直列端子の構成＞
次に、図２および図６に基づいて直列端子２２３の構成を詳説する。
【００８９】
直列端子２２３は高さ方向の厚さの薄い扁平形状を成している。直列端子２２３は高さ方向に面する第１接続面２２３ａと第２接続面２２３ｂを有する。第１電極端子群２１１を構成する電極端子に接続される直列端子２２３と、第２電極端子群２１２を構成する電極端子に接続される直列端子２２３とは、同一構成である。しかしながらこれら２つの直列端子２２３は電池スタック２１０への接続態様が異なる。
【００９０】
図２に示すように、第１電極端子群２１１を構成する電極端子を接続する直列端子２２３は、第２接続面２２３ｂが上端面２２０ａに対向する態様で電池スタック２１０に接続される。第２電極端子群２１２を構成する電極端子を接続する直列端子２２３は、第１接続面２２３ａが上端面２２０ａに対向する態様で電池スタック２１０に接続される。このように第１電極端子群２１１を構成する電極端子を接続する直列端子２２３と、第２電極端子群２１２を構成する電極端子を接続する直列端子２２３とは、電池スタック２１０に対して接続面が反転している。
【００９１】
図６に示すように直列端子２２３は、一体的に連結された連結部２２５と接続部２２６を有する。連結部２２５は正極端子２２１と負極端子２２２を接続する。接続部２２６は第１突起部３７から突出した第１配線３５の一端側の先端と接続される。そのために接続部２２６は第１配線３５、基板配線１４、および、監視ＩＣチップ１３の配線を介して、入力インピーダンスの高いコンパレータ２０の入力端子に接続される。
【００９２】
この接続構成のため、連結部２２５には、複数の電池セル２２０の直列接続された電池スタック２１０を流れる電流が流れる。接続部２２６には、連結部２２５を流れる電流に比べて微量の電流が流れる。以下においては表記を簡明とするために、連結部２２５を流れる電流を本電流Ｉと示す。接続部２２６に流れる電流を検出電流ｊと示す。
【００９３】
連結部２２５は縦方向に延びる矩形を成している。連結部２２５の縦方向の長さは、上記の直列離間距離となっている。連結部２２５の縦方向の両端部のうちの一方に正極端子２２１が接続される。連結部２２５の縦方向の両端部のうちの他方に負極端子２２２が接続される。
【００９４】
図６では連結部２２５における正極端子２２１と負極端子２２２それぞれとの接続位置を明りょうとするために、正極端子２２１と負極端子２２２を円で示している。そして連結部２２５における正極端子２２１との接続の中心点と、負極端子２２２との接続の中心点とを点で示している。以下においては連結部２２５における正極端子２２１との接続の中心点を第１中心点ＣＰ１と示す。連結部２２５における負極端子２２２との接続の中心点を第２中心点ＣＰ２と示す。第１中心点ＣＰ１が第１接続部位に相当する。第２中心点ＣＰ２が第２接続部位に相当する。
【００９５】
接続部２２６は、連結部２２５が正極端子２２１と負極端子２２２とに接続された状態において、複数の電池セル２２０の上端面２２０ａにおける正極端子２２１と負極端子２２２との間の領域と高さ方向で離間して対向する。接続部２２６は連結部２２５から横方向に延びた基準部２２７を有する。基準部２２７は連結部２２５よりも縦方向の長さが短くなっている。また接続部２２６は基準部２２７の先端から縦方向に延びた補償部２２８を有する。上端面２２０ａが形成面に相当する。
【００９６】
図６に示すように基準部２２７は、連結部２２５の第１中心点ＣＰ１と第２中心点ＣＰ２との間の中点ＭＰから横方向に延びている。基準部２２７における連結部２２５から延びる端部と第１中心点ＣＰ１との離間距離と、基準部２２７の端部と第２中心点ＣＰ２との離間距離とが等しくなっている。この構成により、連結部２２５における第１中心点ＣＰ１と基準部２２７の端部との間の第１抵抗の抵抗値と、連結部２２５における第２中心点ＣＰ２と基準部２２７の端部との間の第２抵抗の抵抗値とが相等しくなっている。
【００９７】
上記したように第１電極端子群２１１を構成する電極端子を接続する直列端子２２３と、第２電極端子群２１２を構成する電極端子を接続する直列端子２２３とは、電池スタック２１０に対して接続面が反転している。そのためにこれら２つの直列端子２２３では、上記の第１中心点ＣＰ１と第２中心点ＣＰ２とが反転して入れ替わる。しかしながらこれら２つの直列端子２２３では、連結部２２５における基準部２２７の端部と第１中心点ＣＰ１との離間距離と、基準部２２７の端部と第２中心点ＣＰ２との離間距離とが相等しくなっている。そのために第１中心点ＣＰ１と第２中心点ＣＰ２とが入れ替わったとしても、これら２つの直列端子では、第１抵抗と第２抵抗の抵抗値が互いに相等しくなっている。
【００９８】
以下においては第１抵抗と第２抵抗の抵抗値をＲと示す。また、説明を簡素化するために、横方向に延びる基準部２２７の抵抗値をＲとする。もちろん、上記の第１抵抗および第２抵抗の抵抗値と、基準部２２７の抵抗値は異なっていてもよい。
【００９９】
補償部２２８は基準部２２７に片持ち支持される態様で、基準部２２７の先端から縦方向に沿って延びている。そのために本実施形態の接続部２２６は上端面２２０ａにおいてＬ字形状を成している。補償部２２８の縦方向の長さは、上記の出力離間距離程度になっている。この補償部２２８に、第１突起部３７から突出した第１配線３５の一端側の先端が接続される。
【０１００】
以下においては補償部２２８の抵抗値を２Ｒとする。そして縦方向に延びる補償部２２８においては、図６に示すように抵抗値Ｒの２つの抵抗が縦方向に直列接続されているとする。この直列接続された２つの抵抗の両端に位置する合計３つの端点を、基準部２２７の先端から離れるにしたがって番数が増大するように、第１端点ＥＰ１、第２端点ＥＰ２、第３端点ＥＰ３と示す。２つの抵抗のうちの１つは第１端点ＥＰ１と第２端点ＥＰ２の間に位置する。２つの抵抗のうちの残りの１つは第２端点ＥＰ２と第３端点ＥＰ３の間に位置する。
【０１０１】
なお、上記したように、第１電極端子群２１１を構成する電極端子を接続する直列端子２２３と、第２電極端子群２１２を構成する電極端子を接続する直列端子２２３とは、電池スタック２１０に対して接続面が反転している。そのために第１電極端子群２１１を構成する電極端子に接続される直列端子２２３の補償部２２８の延長方向と、第２電極端子群２１２を構成する電極端子に接続される直列端子２２３の補償部２２８の延長方向とが反対になっている。
【０１０２】
具体的に言えば、第１電極端子群２１１を構成する電極端子に接続される直列端子２２３の補償部２２８は、電池スタック２１０の高電位側に延びている。第２電極端子群２１２を構成する電極端子に接続される直列端子２２３の補償部２２８は、電池スタック２１０の低電位側に延びている。換言すれば、第１電極端子群２１１を構成する電極端子に接続される直列端子２２３の補償部２２８は、監視部１０から離間するように延びている。第２電極端子群２１２を構成する電極端子に接続される直列端子２２３の補償部２２８は、監視部１０に近づくように延びている。
【０１０３】
したがって、第１電極端子群２１１を構成する電極端子に接続される直列端子２２３の補償部２２８では、縦方向において監視部１０から離間する方向に、第１端点ＥＰ１、第２端点ＥＰ２、第３端点ＥＰ３が順に並んでいる。第２電極端子群２１２を構成する電極端子に接続される直列端子２２３の補償部２２８では、縦方向において監視部１０に近づく方向に、第１端点ＥＰ１、第２端点ＥＰ２、第３端点ＥＰ３が順に並んでいる。
【０１０４】
＜直列端子の電圧降下＞
次に、直列端子２２３で生じる電圧降下を説明する。
【０１０５】
これまでに説明した接続構成により、電池セル２２０の電圧は、直列端子２２３、第１配線３５、基板配線１４、および、監視ＩＣチップ１３の配線を介してコンパレータ２０に入力される。これら直列端子２２３、第１配線３５、基板配線１４、および、監視ＩＣチップ１３の配線はそれぞれ抵抗を有する。したがって、この電池セル２２０とコンパレータ２０とを接続する通電経路において電圧降下が生じる。
【０１０６】
上記したように直列端子２２３に第１配線３５の一端が接続される。この直列端子２２３と第１配線３５との接続位置が、複数の第１配線３５と複数の直列端子２２３とで相等しい場合、上記の通電経路において、直列端子２２３の抵抗と流れる電流に起因して生じる電圧降下は、同程度になることが期待される。そのために複数の第１配線３５で検出される電池セル２２０の電圧の検出精度にバラツキが生じがたい。
【０１０７】
しかしながら、直列端子２２３における第１配線３５の一端の接続される位置が変位すると、直列端子２２３の抵抗と流れる電流に起因して生じる電圧降下が変動する。この結果、複数の第１配線３５で検出される電池セル２２０の電圧の検出精度にバラツキが生じる虞がある。このような接続位置の変位は、接続位置の規定が不明りょうであったり、電池スタック２１０に対する配線部３０の配置ズレに起因して生じたりする。
【０１０８】
＜作用効果＞
これに対して本実施形態の直列端子２２３は、連結部２２５だけではなく接続部２２６を有する。連結部２２５の中点ＭＰから延びた接続部２２６に第１配線３５の一端が接続される。このように第１配線３５の接続点が接続部２２６に規定されている。そのために複数の第１配線３５それぞれで検出される電池セル２２０の電圧に含まれる、接続部２２６の抵抗と電流に起因して生じる電圧降下が等しくなることが期待される。この結果、複数の第１配線３５で検出される電池セル２２０の電圧の検出精度にバラツキが生じることが抑制される。
【０１０９】
接続部２２６は、連結部２２５から横方向に延びた基準部２２７と、基準部２２７の先端から縦方向に延びた補償部２２８を有する。この補償部２２８に第１配線３５の一端が接続される。したがって、例えば電池スタック２１０に対する配線部３０の配置ズレによって、第１配線３５の一端が接続対象の直列端子２２３に対して縦方向にズレたとしても、第１配線３５と直列端子２２３とを接続することができる。
【０１１０】
第１配線３５の一端の接続される接続部２２６に流れる検出電流ｊは、連結部２２５を流れる本電流Ｉよりも電流量が微量になっている。そのため、第１配線３５で検出される電池セル２２０の電圧に含まれる、接続部２２６の抵抗と電流に起因して生じる電圧降下が微量となっている。したがって、例え第１配線３５と接続部２２６との接続位置にズレが生じたとしても、複数の第１配線３５で検出される電池セル２２０の電圧の検出精度のバラツキが、この微小な電圧降下程度になる。これにより、複数の第１配線３５それぞれで検出される電池セル２２０の電圧の検出精度にバラツキが生じることが抑制される。
【０１１１】
以下、図７〜図９に基づいて、配線部３０の電池スタック２１０に対する配置ズレがある場合とない場合とにおいて、直列端子２２３に生じる電圧降下を具体的に説明する。図７〜図９では、第１電極端子群２１１を構成するＮｏ．１の正極端子２２１とＮｏ．２の負極端子２２２を接続する直列端子２２３を示している。第２電極端子群２１２を構成するＮｏ．３の正極端子２２１とＮｏ．４の負極端子２２２を接続する直列端子２２３を示している。
【０１１２】
以下においては表記を簡明とするために、Ｎｏ．１の正極端子２２１とＮｏ．２の負極端子２２２を接続する直列端子２２３を第１の直列端子２２３と示す。Ｎｏ．３の正極端子２２１とＮｏ．４の負極端子２２２を接続する直列端子２２３を第２の直列端子２２３と示す。
【０１１３】
第１の直列端子２２３と第２の直列端子２２３は、電位順に並ぶ複数の電池セル２２０のうちの最低電位から２番目に位置する電池セル２２０の正極端子２２１と負極端子２２２に接続される。第１の直列端子２２３はこの電池セル２２０の負極端子２２２に接続される。第２の直列端子２２３はこの電池セル２２０の正極端子２２１に接続される。したがってこれら第１の直列端子２２３と第２の直列端子２２３の電位差は、この電池セル２２０の出力電圧となっている。以下においては最低電位から２番目に位置する電池セル２２０を、単に電池セル２２０と示す。
【０１１４】
図７に、配線部３０の電池スタック２１０に対する配置ズレがない場合の、配線部３０と直列端子２２３との接続形態を示す。図７に示す一例では、第１の直列端子２２３の第２端点ＥＰ２に表配線部３１の第１配線３５の一端が接続されている。同様にして、第２の直列端子２２３の第２端点ＥＰ２に裏配線部３２の第１配線３５の一端が接続されている。そのためにこれら２つの第１配線３５で検出される電圧に含まれる、直列端子の抵抗と電流に起因して生じる電圧降下は同等となっている。
【０１１５】
この同等の電圧降下を含む、電池セル２２０の負極端子２２２の電位と、正極端子２２１の電位とがコンパレータ２０の反転入力端子と非反転入力端子とに入力される。コンパレータ２０は反転入力端子に入力された電位と非反転入力端子に入力された電位を差分し、その差分した電圧値に応じた出力信号を、電池セル２２０の出力電圧Ｖｏとして出力する。
【０１１６】
図８に、配線部３０の電池スタック２１０に対する配置ズレがある場合の、配線部３０と直列端子２２３との接続形態を示す。図８に示す一例では、第１の直列端子２２３と表配線部３１の第１配線３５の一端との接続点がずれている。第１の直列端子２２３の第３端点ＥＰ３に表配線部３１の第１配線３５の一端が接続されている。第２の直列端子２２３の第２端点ＥＰ２に裏配線部３２の第１配線３５の一端が接続されている。
【０１１７】
上記したように接続部２２６には、連結部２２５を流れる本電流Ｉに比べて微量の検出電流ｊが流れる。そして第２端点ＥＰ２と第３端点ＥＰ３との間の抵抗値はＲとなっている。そのためにこれら２つの第１配線３５で検出される電圧に含まれる（生じる）直列端子２２３の抵抗と電流に起因して生じる電圧降下は、−ｊＲだけ異なっている。したがって、説明を簡単とするためにコンパレータ２０の増幅度を１とすると、図８に示すようにコンパレータ２０からは、Ｖｏ＋ｊＲが出力される。
【０１１８】
ただし、上記したように検出電流ｊは微量である。そのために電圧降下ｊＲも微量となっている。そのため、上記の接続点のズレが生じたとしても、複数の第１配線３５で検出される電池セル２２０の電圧の検出精度にバラツキが生じることが抑制されている。
【０１１９】
図９に、比較構成として、第１の直列端子２２３と第２の直列端子２２３が連結部２２５のみを有する構成を示す。配線部３０の電池スタック２１０に対する配置ズレがない場合、第１の直列端子２２３の連結部２２５の中点ＭＰに表配線部３１の第１配線３５の一端が接続される。第２の直列端子２２３の連結部２２５の中点ＭＰに裏配線部３２の第１配線３５の一端が接続される。この場合、これら２つの第１配線３５で検出される電圧に含まれる（生じる）電圧降下は同等となる。
【０１２０】
しかしながら配線部３０の電池スタック２１０に対する配置ズレがある場合、例えば図９に示すように、第１の直列端子２２３の連結部２２５の第１中心点ＣＰ１に表配線部３１の第１配線３５の一端が接続される。第２の直列端子２２３の連結部２２５の中点ＭＰに裏配線部３２の第１配線３５の一端が接続される。
【０１２１】
上記したように連結部２２５には、接続部２２６を流れる検出電流ｊに比べて大量の本電流Ｉが流れる。そして第１中心点ＣＰ１と中点ＭＰとの間の抵抗値はＲとなっている。そのためにこれら２つの第１配線３５で検出される電圧に含まれる（生じる）直列端子２２３の抵抗と電流に起因して生じる電圧降下は、−ＩＲだけ異なっている。この場合、図９に示すようにコンパレータ２０からは、Ｖｏ＋ＩＲが出力される。
【０１２２】
上記したように本電流Ｉは大量である。そのために電圧降下ＩＲは大量もなっている。そのため、比較構成の場合、上記の接続点のズレが生じると、複数の第１配線３５で検出される電池セル２２０の電圧の検出精度に生じるバラツキが大きくなる。
【０１２３】
これに対して本実施形態の直列端子２２３の場合、繰り返しとなるが、上記したように接続点のズレによって生じる電圧降下ｊＲが微量となっている。そのために複数の第１配線３５で検出される電池セル２２０の電圧の検出精度にバラツキが生じることが抑制される。
【０１２４】
なお、図１０に示すように直列端子２２３の具体的な形態としては、本実施形態に示した構成に限定されない。例えば図１０の（ａ）欄に示すように補償部２２８が基準部２２７の先端から縦方向に沿って延びることで、接続部２２６が上端面２２０ａにおいてＴ字形状を成す構成を採用することもできる。これにより第１配線３５の一端が接続対象の直列端子２２３に対して、縦方向において監視部１０側、監視部１０とは反対側のいずれの方向にズレたとしても、第１配線３５と直列端子２２３とを接続することができる。
【０１２５】
また図１０の（ｂ）欄に示すように直列端子２２３の接続部２２６が基準部２２７のみを有する構成を採用することもできる。この構成の場合、基準部２２７の先端に第１配線３５の一端が接続される。これにより、複数の第１配線３５それぞれで検出される電池セル２２０の電圧に含まれる電圧降下が等しくなることが期待される。また、基準部２２７に対する第１配線３５の一端の接続位置がズレたとしても、それによって生じる電圧降下は微量となる。
【０１２６】
なお、図１０の（ｂ）欄に示す構成の場合、上記の第１突起部３７と第２突起部３８、および、第１配線３５と第２配線３６の一端側それぞれの長さを長くして、これらを縦方向と横方向とに屈曲可能とする。こうすることで、例え配線部３０が電池スタック２１０に対して配置ズレしたとしても、第１突起部３７と第１配線３５の一端側を、接続対象の直列端子２２３の基準部２２７に向けて屈曲する。また、第２突起部３８と第２配線３６の一端側を、接続対象の出力端子２２４に向けて屈曲する。これにより直列端子２２３の基準部２２７の先端に第１配線３５の一端を接続することができる。出力端子２２４に第２配線３６の一端を接続することができる。
【０１２７】
以上、本開示物の好ましい実施形態について説明したが、本開示物は上記した実施形態になんら制限されることなく、本開示物の主旨を逸脱しない範囲において、種々変形して実施することが可能である。
【０１２８】
（第１の変形例）
本実施形態では監視ＩＣチップ１３がコンパレータ２０を有する例を示した。このコンパレータ２０の入力端子に直列端子２２３が接続されるために、本電流Ｉに比べて検出電流ｊが微量である例を示した。本実施形態の構成の場合、コンパレータ２０が電池セル２２０と同数必要になる。
【０１２９】
これに対して監視ＩＣチップ１３はコンパレータ２０の他にサンプルホールド回路とマルチプレクサを有する構成を採用することもできる。サンプルホールド回路は電位順に並ぶ複数の電圧検出線それぞれに設けられたスイッチと、このスイッチの後段側において電位順に並ぶ電圧検出線に並列接続されたコンデンサと、を有する。このコンデンサの静電容量は微量となっている。スイッチを閉状態にすることで、コンデンサに微量な検出電流ｊが流れる。この後にスイッチを開状態にする。それによってコンデンサに検出電流ｊに応じた電荷が保存される。
【０１３０】
マルチプレクサはこのコンデンサよりも後段側に位置している。マルチプレクサには複数の電圧検出線が接続されている。マルチプレクサは複数の電圧検出線のうちの２つを選択し、それをコンパレータ２０に接続する。これによりコンデンサからコンパレータ２０に検出電流ｊが流れる。この変形例の場合、サンプルホールド回路の有するコンデンサの静電容量が微量であるために、本電流Ｉに比べて検出電流ｊが微量になる。また、コンパレータ２０の数を電池セル２２０の数よりも少なくすることができる。
【０１３１】
（第２の変形例）
本実施形態では出力端子２２４の形状について特に言及しなかった。この出力端子２２４の形状としては例えば図２に示すように高さ方向に面する平面において横方向に延びる矩形を採用することができる。また、本実施形態に示した直列端子２２３と同様にして、出力端子２２４が１つ電極端子と接続される連結部と、連結部から延びた接続部と、を有する構成を採用することもできる。
【０１３２】
（第３の変形例）
本実施形態では配線パターン３４が表面３３ａに形成される例を示した。しかしながら配線パターン３４が裏面３３ｂに形成された構成を採用することもできる。
【０１３３】
（第４の変形例）
本実施形態では、配線部３０が同一構成の表配線部３１と裏配線部３２を有する例を示した。しかしながら表配線部３１と裏配線部３２は同一構成でなくともよい。例えば図１１に示すように表配線部３１が第１電極端子群２１１に対応した第１突起部３７と第２突起部３８および配線パターン３４を有する構成を採用することもできる。裏配線部３２が第２電極端子群２１２に対応した第１突起部３７と第２突起部３８および配線パターン３４を有する構成を採用することもできる。図１１では、裏配線部３２はフレキシブル基板３３の裏面３３ｂが電池セル２２０の上端面２２０ａに対向する態様で電池スタック２１０に搭載される。また、図示しないが、表配線部３１と裏配線部３２とが一体に接続された構成を採用することもできる。
【０１３４】
（第５の変形例）
本実施形態では電池スタック２１０が９個の電池セル２２０を有する例を示した。しかしながら電池スタック２１０の有する電池セル２２０の数としては上記例に限定されず、複数であればよい。そして電池スタック２１０は偶数個の電池セル２２０を有してもよい。
【０１３５】
本実施形態では電池モジュール２００が１つの電池スタック２１０を有する例を示した。しかしながら電池モジュール２００は複数の電池スタック２１０を有してもよい。この場合、電池モジュール２００の筐体には各電池スタック２１０に対応する収容空間が構成される。これら複数の収容空間は横方向に並んで設けられる。
【０１３６】
例えば２つの電池スタック２１０の電池セル２２０が直列接続される場合、２つの電池スタック２１０は偶数個の電池セル２２０を同数有する。２つの電池スタック２１０それぞれの複数の電池セルは縦方向に並んでいる。２つの電池スタック２１０のうちの一方の縦方向において右端に位置する電池セル２２０の負極端子２２２と、２つの電池スタック２１０のうちの他方の右端に位置する電池セル２２０の正極端子２２１とが、ワイヤを介して電気的に接続される。これにより２つの電池スタック２１０のうちの一方の縦方向において左端に位置する電池セル２２０の負極端子２２２が最低電位、他方の左端に位置する電池セル２２０の正極端子２２１が最高電位になる。最高電位の正極端子２２１と最低電位の負極端子２２２は横方向に並んで配置される。これら２つの電池スタック２１０それぞれに配線部３０が設けられる。
【０１３７】
（その他の変形例）
本実施形態では電池パック４００をハイブリッド自動車に適用した例を示した。しかしながら電池パック４００は例えばプラグインハイブリッド自動車や電気自動車に適用することもできる。
【符号の説明】
【０１３８】
１０…監視部、１１…配線基板、１３…監視ＩＣチップ、１４…基板配線、２０…コンパレータ、３０…配線部、３１…表配線部、３２…裏配線部、３３…フレキシブル基板、３３ａ…表面、３３ｂ…裏面、３４…配線パターン、３５…第１配線、３６…第２配線、１００…監視装置、２００…電池モジュール、２１０…電池スタック、２１１…第１電極端子群、２１２…第２電極端子群、２２０…電池セル、２２０ａ…上端面、２２１…正極端子、２２２…負極端子、２２３…直列端子、２２５…連結部、２２６…接続部、２２７…基準部、２２８…補償部、３００…電池ＥＣＵ、４００…電池パック、ＣＰ１…第１接続部位、ＣＰ２…第２接続部位、ＭＰ…中点
【図１】
2020013652.tif 000003
【図２】
2020013652.tif 000004
【図３】
2020013652.tif 000005
【図４】
2020013652.tif 000006
【図５】
2020013652.tif 000007
【図６】
2020013652.tif 000008
【図７】
2020013652.tif 000009
【図８】
2020013652.tif 000010
【図９】
2020013652.tif 000011
【図１０】
2020013652.tif 000012
【図１１】
2020013652.tif 000013